(57)【要約】【課題】フロア構造の構築および分解作業の省力化が可能であり、構築後の圧力調整ダンパの反りや変形が発生せず、分解・組立作業時に金属粉などの塵埃が生じない、圧力調整ダンパおよびこれを用いたフロア構造を提供する。【解決手段】基礎面１に立設された支持脚２Ａと、支持脚２Ａで水平保持される床面材３Ａと、床面材３Ａの下側に配置される圧力調整ダンパ４Ａと、フィルター５などで構成されたフロア構造である。このフロア構造は、支持脚２Ａの架台２ｃ上面の係合用突起２ｄを、圧力調整ダンパ４Ａのフランジ４ｆ角部の係止孔４ｇに挿通させた状態でフランジ４ｆ角部を架台２ｃ上面に載置して圧力調整ダンパ４Ａを水平保持し、フィルター５を底板４ｄの上面に配置した後、係合用突起２ｄに床面材３Ａの係合孔３ｂを挿通させた状態で圧力調整ダンパ４Ａ上に床面材３Ａを載置することによって構築する。【選択図】　　　　図１
2004138340.tif 000002
【特許請求の範囲】
【請求項１】
基礎面に立設された支持脚で水平保持された床面材の下側に配置され開口部の面積を変更することによって空気吸い込み状態の強弱調整が可能な圧力調整ダンパであって、
前記開口部の面積を変更するための開度調整手段を有する底板と、前記底板の外周に起立状に形成された隔壁と、前記隔壁の上縁に形成されその外周形状が略多角形状をなすフランジとを備え、前記支持脚に設けられた架台に着脱可能に係止するための係止手段を前記フランジに設けたことを特徴とする圧力調整ダンパ。
【請求項２】
前記係止手段として、前記支持脚の架台上面に設けられた係合用突起が挿通可能な係止孔を前記フランジの角部に設けた請求項１記載の圧力調整ダンパ。
【請求項３】
前記係止手段として、前記フランジの一部にスリットを設け前記フランジの角部を斜面状に垂下させることにより前記支持脚の架台上面に弾性的に当接可能な係止用舌片を形成した請求項１記載の圧力調整ダンパ。
【請求項４】
前記係止手段として、前記フランジの角部に前記支持脚の架台上面が露出可能な切欠部を設け、前記フランジから前記切欠部に突出し前記架台上面に当接可能な係止用突出部を設けた請求項１記載の圧力調整ダンパ。
【請求項５】
前記フランジをその外周方向に向かう下り勾配をなすように弾性変形可能に傾斜させた請求項４記載の圧力調整ダンパ。
【請求項６】
基礎面に立設された支持脚と、前記支持脚で水平保持された床面材と、前記床面材の下側に配置される圧力調整ダンパとを備えたフロア構造であって、
請求項１〜５のいずれかに記載の圧力調整ダンパをその係止手段によって前記支持脚の架台に係止して前記圧力調整ダンパを水平保持し、前記架台上にフロアパネルを載置して形成したことを特徴とするフロア構造。
【発明の詳細な説明】
【０００１】
【発明の属する技術分野】
本発明は、クリーンルームなどのフロア構造を構築するための圧力調整ダンパおよびこれを用いたフロア構造に関する。
【０００２】
【従来の技術】
クリーンルームにおける空調用気流は天井から下方へ吹き出して床面から床下へ吸い込む垂直層流が理想とされているが、床面全体を吸い込み口とするとともに床下を吸い込みチャンバとしただけでは、理想的な垂直層流を形成することはできない。それは、床面に生産設備などを設置した場合、天井から吹き出した空調用気流がこれらの生産設備に当たって斜め方向に流れたり、生産設備の近傍で逆流（巻き上げ流）が発生したりするからである。
【０００３】
そこで、実際のクリーンルームにおいては生産設備などの配置状況に対応させて床面に空気を比較的強く吸い込む領域と、弱く吸い込む領域とを設けることによってクリーンルーム内に整然とした垂直層流を形成している。
【０００４】
このようなクリーンルームの床面には、開口部の面積を変更することによって空気の吸い込み状態の強弱調整を行う装置として、複数の通気孔が形成された床面材の下側にそれぞれ開口部を有するシャッタ固定板とシャッタ移動板とからなるシャッタ部材を配置したもの（例えば、特許文献１参照）、あるいは床面材の下方に開口部付きの固定プレートと、これに対して回動可能に軸支された開口部付きの回動プレートとからなるシャッタ部材を配置したもの（例えば、特許文献２参照）などがある。これらの装置においては、床面から床下に異物が落下するのを防止するため、床面材とシャッタ部材との間にフィルタを配置することもある。
【０００５】
一方、クリーンルームの清浄度を一定レベルに維持するためには、床下に吸い込んだ空気中に含まれる塵埃などを除去することが必要となるので、多数の吸引孔が穿設された床面材の下面にフィルタを配設したものがある（例えば、特許文献３参照。）。
【０００６】
【特許文献１】
特開平１０−１３２３４７号公報（第４−７頁、第２図）
【特許文献２】
登録実用新案公報第２５００２６３公報（第２−４頁、第１図）
【特許文献３】
実公平４−３４８８９号公報（第２頁、第１図）
【０００７】
【発明が解決しようとする課題】
特許文献１に記載された気流調整装置においては、シャッタ機構を構成するシャッタ固定板はボルトを用いて床面材の下側に固定されており、特許文献２に記載のシャッタ装置においてもシャッタ機構を構成する固定プレートは雄ねじを用いて床面材の下側に固定されている。
【０００８】
したがって、特許文献１，２に記載されている装置において、シャッタ部材を清掃したり、フィルタの清掃や交換などを行ったりする目的で床面材とシャッタ部材とに分解する場合、いずれの装置でも複数のボルトなどを緩めて床面材からシャッタ部材を取り外さなければならず、清掃などの終了後は床面材の下面にシャッタ部材を装着し再び複数のボルトなどで締め付けて組立を行わなければならず、このような分解、組立作業に多大な労力を要している。
【０００９】
また、これらの装置では一般に床面材はアルミダイキャスト製であり、シャッタ部材固定用のボルトなどは鋼材製であるため、ボルトなどを緩めたり、締め付けたりするとき、その硬さの違いにより床面材に形成されている雌ねじ孔が摩耗しやすく、前述した分解、組立作業を５〜６回程度繰り返すと、雌ねじ孔のねじ山が崩れて内径が広がってしまい、締め付け不能となることが多い。近年は電動ドライバーの使用が一般化した関係で、ボルト締め付け作業の際、雌ねじ孔とボルトのねじ山同士が整合していない状態のままで強引に締め付けられることも多く、このときに雌ねじ孔のねじ山が崩れたり、雌ねじ孔に新たなねじ山が形成されたりして、締め付け不能となりやすい。
【００１０】
さらに、ボルトを緩めたり、締め付けたりする際のボルトと雌ねじ孔との摩擦によって、床面材を形成するアルミニウムなどの金属粉が雌ねじ孔付近に出てくることが多いので、これらの金属粉がクリーンルームの清浄度を悪化させるおそれがある。
【００１１】
また、特許文献１，２に記載されている装置では、シャッタ部材に設けられたボルト挿通孔と床面材の雌ねじ孔とが正確に一致しない状態でボルト締め付けが行われることもあり、このような状態でボルトの締め付けが行われると、フロア構築後にシャッタ部材が反ったり、変形したりすることがある。このようなシャッタ部材の反りや変形が生じると、開口部の面積を変更するシャッタ機能に支障が生じたり、床面材とシャッタ部材との間あるいはシャッタを構成する部材同士の間に隙間が生じて空気の漏れが発生したりして、空気の吸い込み状態の強弱調整を行う機能が低下する。
【００１２】
そこで、このような問題の解決を図るフロア構造の一つとして図５に示すようなものがある。このフロア構造はアルミダイキャスト製の床面材５０と、フィルタ５２と、圧力調整ダンパ５１とで構成され、凹部５１ａ内にフィルタ５２を収容した状態で床面材５０の下面に圧力調整ダンパ５１が取り付けられている。このフロア構造においては、床面材５０に対する圧力調整ダンパ５１の固定手段として、複数の鋼板製クリップ５３が用いられている。
【００１３】
図５に示すフロア構造を採用すれば、その分解、組立に要する労力は特許文献１，２に記載の装置に比べ大幅に低減することができるのであるが、クリップ５３は装着、離脱を１回行うと挟持部分の間隔が広がったり、挟持力が低下したりして再使用不能となる、いわゆる消耗部品であるため、清掃などの目的で分解、組立を行うたびに新たなクリップ５３と交換しなければならず、資材の無駄が生じている。また、組立の際には、アルミダイキャスト製の床面材５０に対して鋼板製クリップ５３を叩きながら装着しているため、クリップ５３と床面材５０との擦過により床面材５０が削られてアルミニウムの削り屑や粉末が発生し、クリーンルームの清浄度を悪化させる要因となることがある。
【００１４】
本発明が解決しようとする課題は、フロア構造の構築および分解作業を大幅に省力化することが可能であり、構築後の圧力調整ダンパの反りや変形が発生せず、分解・組立作業時に金属の削り屑や金属粉などの塵埃も生じない、圧力調整ダンパおよびこれを用いたフロア構造を提供することにある。
【００１５】
【課題を解決するための手段】
本発明の圧力調整ダンパは、基礎面に立設された支持脚で水平保持された床面材の下面側に配置され開口部の面積を変更することによって空気吸い込み状態の強弱調整が可能な圧力調整ダンパであって、
開口部の面積を変更するための開度調整手段を有する底板と、底板の外周に起立状に形成された隔壁と、隔壁の上縁に形成されその外周形状が略多角形状をなすフランジとを備え、支持脚に設けられた架台に着脱可能に係止するための係止手段をフランジに設けたことを特徴とする。
【００１６】
このような構成とすることにより、圧力調整ダンパは、そのフランジに設けられた係止手段を用いて支持脚の架台に着脱可能に係止することができるようになり、ボルトやクリップなどを用いて床面材の下面に固定する必要がなくなるため、フロア構造の構築および分解作業を大幅に省力化することが可能となり、分解・組立作業時に金属粉などの塵埃なども生じない。また、フロア構築後の圧力調整ダンパは、ボルトやクリップなどで床面材に強固に拘束されることなく、支持脚で水平保持されるため、構築後の圧力調整ダンパの反りや変形が発生しない。したがって、圧力調整ダンパの反りや変形に起因して、開口部の面積を変更する機能に支障が生じたり、床面材と圧力調整ダンパとの間あるいは圧力調整ダンパを構成する部材同士の間に隙間が生じて空気の漏れが発生したりして、圧力調整ダンパとしての機能が低下することがない。
【００１７】
ここで、前記係止手段として、支持脚の架台上面に設けられた係合用突起が挿通可能な係止孔をフランジの角部に設けることができる。このような構成とすれば、支持脚の架台上面に設けられた係合用突起をフランジの角部の係止孔に挿通させた状態でフランジの角部を架台上面に載置するだけで圧力調整ダンパを支持脚に係止することが可能となり、圧力調整ダンパを持ち上げるだけで支持脚から離脱させることが可能となるため、フロア構造の構築、分解作業は極めて容易となる。
【００１８】
また、架台上面の係合用突起をフランジ角部の係止孔に挿通させれば、圧力調整ダンパは水平方向へ動かないように拘束されるため、圧力調整ダンパの敷設作業を行っている際に何かが敷設後の圧力調整ダンパに接触するようなことがあっても架台から外れたり、ずれたりし難いので、作業性が良好であり、作業時間の短縮を図ることができる。
【００１９】
また、前記係止手段として、フランジの一部にスリットを設けフランジの角部を斜面状に垂下させることにより支持脚の架台上面に弾性的に当接可能な係止用舌片を形成することもできる。このような構成とすれば、係止用舌片を支持脚の架台上面に当接させて圧力調整ダンパを架台上に載置したとき、係止用舌片以外のフランジ部分は架台上面より上方に位置するが、当該圧力調整ダンパ上に床面材を載置し、ねじなどの固定手段で床面材を支持脚の架台に固定すれば、前記フランジ部分は係止用舌片の弾性により上向きに付勢された状態を保ちながら、床面材による下向きの加圧力で沈下、固定されるので、フロア構造の構築後、床面材の底面に対するフランジの密着性が向上し、空気の漏れる隙間などがなくなる。したがって、床面材から吸い込まれた空気は必ず圧力調整ダンパを通過することとなり、開度調整手段による圧力調整精度が向上する。
【００２０】
さらに、構築後の前記フロア構造において、清掃などの目的で分解が必要となった場合、床面材の固定手段であるねじなどを取り外せば、係止用舌片の弾性復元力によって係止用舌片以外のフランジ部分は架台上面より上方へ持ち上がり、これによって圧力調整ダンパおよび前記フランジ部分上に載置されている床面材が上方へ持ち上がり、当該床面材は周囲のフロア面より突出した状態となるため、床面材の取り外しが容易となり、分解時の作業性も向上する。
【００２１】
一方、前記係止手段として、フランジの角部に支持脚の架台上面が露出可能な切欠部を設け、フランジから切欠部に突出し架台上面に当接可能な係止用突出部を設けることもできる。このような構成とすれば、係止用突出部を支持脚の架台上面に当接させた状態で圧力調整ダンパを支持脚に保持すれば、フランジの角部の切欠部から露出した架台上面に直接床面材を載置することが可能となるため、圧力調整ダンパの有無によって床面材の高さが左右されることがなくなり、フロア表面全体の平面度を向上させることができる。
【００２２】
この場合、支持脚の架台上面を切欠部に露出させたときに切欠部内周の少なくとも一部が架台外周の一部に接触するような形状としておけば、架台に保持された圧力調整ダンパの水平移動を阻止することができるので、敷設後の圧力調整ダンパに何かが接触したとき位置がずれるのを防止することができ、作業性の向上を図ることができる。
【００２３】
また、前記フランジをその外周方向に向かう下り勾配をなすように弾性変形可能に傾斜させた形状とすることが望ましい。このような形状とすれば、圧力調整ダンパのフランジ上に床面材を載置して、ねじなどを用いて支持脚に固定してフロア構造を構築したとき、フランジの内周寄りの部分はその弾性により上方へ付勢された状態を保ちながら、床面材の加圧力によって沈下して略水平状態に固定されるためフランジと床面材との密着性が向上し、空気の漏れる隙間がなくなるため、床面材から吸い込まれた空気は必ず圧力調整ダンパを通過することとなり、開度調整手段による圧力調整精度が向上する。
【００２４】
さらに、構築後の前記フロア構造において、清掃などの目的で分解が必要となった場合、床面材の固定手段であるねじなどを取り外せば、フランジの弾性復元力によってフランジの内周寄りの部分は架台上面より上方へ持ち上がり、これによってフランジ上に載っている床面材が上方へ持ち上がり、当該床面材は周囲のフロア面より突出した状態となるため、床面材の取り外しが容易となり、分解時の作業性も向上する。
【００２５】
次に、本発明のフロア構造は、基礎面に立設された支持脚と、支持脚で水平保持された床面材と、床面材の下側に配置される圧力調整ダンパとを備えたフロア構造であって、前述したいずれかの圧力調整ダンパをその係止手段によって支持脚の架台に係止して当該圧力調整ダンパを水平保持し、架台上に床面材を載置して形成したことを特徴とする。
【００２６】
このような構成とすることにより、前記圧力調整ダンパの機能について記述した通り、フロア構造の構築および分解作業を大幅に省力化することが可能となり、構築後の圧力調整ダンパの反りや変形が発生しなくなり、分解・組立作業時に金属粉などの塵埃なども生じなくなる。
【００２７】
【発明の実施の形態】
図１は本発明の第１実施形態である圧力調整ダンパを用いたフロア構造を示す分解斜視図である。本実施形態のフロア構造は、図１に示すように、基礎面１に立設された支持脚２Ａと、支持脚２Ａで水平保持される床面材３Ａと、床面材３Ａの下側に配置される圧力調整ダンパ４Ａと、床面材３Ａと圧力調整ダンパ４Ａとの間に配置されるフィルタ５などで構成されている。
【００２８】
支持脚２Ａは、基礎面１上に固定される平面視形状が正方形状の台座２ａと、台座２ａ上に直立状態に形成された支柱２ｂと、支柱２ｂの上端に設けられた平面視形状が略正方形の架台２ｃなどで構成され、架台２ｃ上面の四隅部分にはそれぞれ四角錐台形状の係合用突起２ｄが設けられている。
【００２９】
圧力調整ダンパ４Ａは、開口部の面積を変更することによって空気吸い込み状態の強弱調整が可能であり、後述する開口部の面積を変更するための開度調整手段を有する底板４ｄと、底板４ｄの外周に起立状に形成された隔壁４ｅと、隔壁４ｅの上縁に形成されその外周形状が略四角形状をなすフランジ４ｆとを備え、架台２ｃの係合用突起２ｄが挿通可能な四角形状の係止孔４ｇがフランジ４ｆの四角部にそれぞれ設けられ、フランジ４ｆの外周には上方へ起立したリブ４ｈが設けられている。
【００３０】
底板４ｄは、複数の三角形の開口部４ａが開設された固定板４ｄ１と、複数の四角形の開口部４ｂが開設され固定板４ｄ１の上面に沿って矢線６方向にスライド可能なスライド板４ｄ２とからなる開度調整手段を有し、スライド板４ｄ２を矢線６方向にスライドさせると、開口部４ａと開口部４ｂとの連通部分の面積が変化するので、これによって底板４ｄ全体の開口部の面積を変更することができる。なお、図１においては開口部４ａ，４ｂはそれぞれ２個ずつしか記載していないが、実際の底板４ｄを構成する固定板４ｄ１およびスライド板４ｄ２においては、そのほぼ全面に渡って多数の開口部４ａ，４ｂが開設されている。
【００３１】
床面材３Ａの平面視形状は圧力調整ダンパ４Ａと水平投影面積がほぼ等しい四角形であり、その表面には多数の貫通孔３ａが縦横に配列され、その底面の四隅部分には支持脚２の架台２ｃの係合用突起２ｄが挿通可能な係合孔３ｂが形成されている。床面材３Ａの材質は特に限定するものではないが、本実施形態ではアルミダイキャスト製としている。
【００３２】
フィルタ５は、底板４ｄとその周りを囲繞する隔壁４ｅとによって形成された箱状部分に収容されており、床面材３Ａの貫通孔３ａを通過して吸い込まれる空気はフィルタ５を通過して底板４ｄ側へ抜け、底板４ｄの開口部分を通過して床下へ流れ込むようになっている。
【００３３】
フロア構造を構築する場合、図１に示すように、支持脚２Ａの架台２ｃ上面に設けられた係合用突起２ｄを、圧力調整ダンパ４Ａのフランジ４ｆ角部の係止孔４ｇに挿通させた状態でフランジ４ｆ角部を架台２ｃ上面に載置して水平保持した後、フィルタ５を底板４ｄ上に配置し、これらを覆うようにして床面材３Ａを圧力調整ダンパ４Ａ上に載置する。このとき、床面材３Ａの係合孔３ｂに係合用突起２ｄを挿通させる。
【００３４】
このように、支持脚２Ａの架台２ｃ上面に圧力調整ダンパ４Ａを載置し、この後、フィルタ５および床面材３Ａを順番に載置していくだけで圧力調整ダンパ４Ａおよび床面材３Ａなどを支持脚２Ａに係止することが可能となり、前述と逆に床面材３Ａおよび圧力調整ダンパ４Ａなどを持ち上げるだけでこれらの部材を支持脚２Ａから離脱させることができるため、フロア構造の構築、分解作業は極めて容易である。
【００３５】
また、架台２ｃ上面の係合用突起２ｄをフランジ４ｆ角部の係止孔４ｇに挿通させれば、圧力調整ダンパ４Ａは水平方向へ動かないように拘束されるため、圧力調整ダンパ４Ａの敷設作業を行っている際に何かが敷設後の圧力調整ダンパ４Ａに接触しても架台２ｃから外れたり、ずれたりすることがない。したがって、フロア構造を構築する際の作業性は良好であり、作業時間の短縮を図ることができる。
【００３６】
さらに、圧力調整ダンパ４Ａはフランジ４ｆの係止孔４ｇを用いて支持脚２Ａの架台２ｃに着脱可能であるため、ボルトやクリップなどを用いて床面材３Ａの下面に固定する必要がなく、フロア構造の構築および分解作業を大幅に省力化することができ、分解・組立作業時に金属粉などの塵埃も生じない。また、フロア構築後の圧力調整ダンパ４Ａはボルトやクリップなどで床面材３Ａに強固に拘束されることなく支持脚２Ａによって水平保持されるため、無理な外力を受けることがなく、構築後における圧力調整ダンパ４Ａの反りや変形も発生しない。
【００３７】
したがって、スライド板４ｄ２を矢線６方向にスライドさせて開口部４ａと開口部４ｂとの連通部分の面積を変更する機能に支障が生じたり、床面材３Ａと圧力調整ダンパ４Ａとの間あるいは圧力調整ダンパ４Ａの構成部材であるスライド板４ｄ２と固定板４ｄ１との間などに隙間が生じて空気の漏れが発生したりすることがなく、圧力調整ダンパ４Ａの反りや変形に起因して、圧力調整ダンパとしての機能が失われることがない。
【００３８】
次に図２を参照して、本発明の第２実施形態について説明する。なお、図２において図１と同じ符号を付している部分は第１実施形態の場合と同じ機能、効果を発揮する部分であるため説明を省略する。
【００３９】
本実施形態においては、支持脚２Ｂに対する圧力調整ダンパ４Ｂの係止手段として、フランジ４ｆの一部を切断してスリットＳを設けフランジ４ｆの角部を斜面状に垂下させることにより支持脚２Ｂの架台２ｃ上面に弾性的に当接可能な係止用舌片７を形成し、係止用舌片７の中央付近にボルト孔７ａを設けている。また、支持脚２Ｂの架台２ｃの四隅部分には雌ねじ孔８が設けられ、床面材３Ｂの四隅部分にはボルト９の首下部分が挿通可能なボルト孔３ｃが設けられている。
【００４０】
図２に示すように、圧力調整ダンパ４Ｂの係止用舌片７を支持脚２Ｂの架台２ｃ上面に当接させた状態にして圧力調整ダンパ４Ｂを架台２ｃ上に載置したとき、係止用舌片７以外のフランジ４ｆ部分は架台２ｃ上面より上方に位置するが、この圧力調整ダンパ４Ｂ上に床面材３Ｂを載置し、ボルト孔３ｃからボルト９を挿通させ、その下端部分を架台２ｃの雌ねじ孔８に螺合させることによって床面材３Ｂを架台２ｃに固定すれば、フランジ４ｆ部分は係止用舌片７の弾性により上向きに付勢された状態を保ちながら、ボルト９を締め付けた時の床面材３Ｂによる下向きの加圧力で沈下、固定される。
【００４１】
このような状態とすることより、フロア構造を構築した後における、床面材３Ｂの底面に対するフランジ４ｆの密着性が向上し、空気の漏れる隙間が発生しなくなるため、床面材３Ｂの貫通孔３ａから吸い込まれた空気は必ず圧力調整ダンパ４Ｂを通過することとなり、底板４ｄに設けられた開度調整手段による圧力調整精度が向上する。
【００４２】
一方、構築後の前記フロア構造において、清掃などの目的で分解が必要となった場合、床面材３Ｂを固定しているボルト９を取り外せば、係止用舌片７の弾性復元力によって係止用舌片７以外のフランジ４ｆが架台２ｃ上面よりも上方へ持ち上がり（このように加圧力が解除されたときフランジの少なくとも一部がその弾性復元力により上方へ持ち上がることを「ホップアップ方式」と呼ぶ。）、これによってフランジ４ｆ部分を含む圧力調整ダンパ４Ｂ全体およびフランジ４ｆ部分に載置されている床面材３Ｂが上方へ持ち上がり、床面材３Ｂは周囲のフロア表面より高く突出した状態となるため、床面材３Ｂの取り外しが容易であり、分解時の作業性も優れている。その他の機能、効果などについては第１実施形態の場合と同様である。
【００４３】
次に図３，図４を参照して本発明の第３実施形態について説明する。なお、図３，図４において図１，図２と同じ符号を付している部分は第１，第２実施形態の場合と同じ機能、効果を発揮する部分であるため説明を省略する。
【００４４】
本実施形態においては、支持脚２Ｃに対する圧力調整ダンパ４Ｃの係止手段として、圧力調整ダンパ４Ｃのフランジ４ｆの角部に支持脚２Ｃの架台２ｃ上面が露出可能な切欠部１０を設けるとともに、フランジ４ｆから切欠部１０に突出し架台２ｃ上面に当接可能な係止用突出部１１を設けている。
【００４５】
図３に示すように、係止用突出部１１を支持脚２Ｃの架台２ｃ上面に当接させた状態にして圧力調整ダンパ４Ｃを支持脚２Ｃに保持すれば、フランジ４ｆの角部にある切欠部１０から露出した架台２ｃ上面に直接、床面材３Ｂを載置することができるため、圧力調整ダンパ４Ｃの有無によって床面材３Ｂの高さが左右されることがなく、フロア表面全体の平面度が向上する。本実施形態では係止用突出部１１はリブ４ｈをその長手方向へ延出させた形状としているが、この形状に限定するものではないので、架台２ｃの形状に応じた形状とすることができる。
【００４６】
また、本実施形態においては、図４（ａ）に示すように、フランジ４ｆをその外周方向に向かう下り勾配をなすように弾性変形可能に傾斜させた形状としているため、圧力調整ダンパ４Ｃのフランジ４ｆ上に床面材３Ｂを載置し、ボルト９を用いて支持脚２Ｃの架台２ｃに固定したとき、図４（ｂ）に示すように、フランジ４ｆの内周寄りの部分はその弾性により上方へ付勢された状態を保ちながら、ボルト９を締め付けた時の床面材３Ｂによって加えられる加圧力で沈下して略水平状態に固定される。
【００４７】
このような状態となることによってフランジ４ｆと床面材３Ｂとの密着性が向上し、空気の漏れる隙間がなくなるため、床面材３Ｂの貫通孔３ａから吸い込まれた空気は必ず圧力調整ダンパ４Ｃを通過することとなり、開度調整手段による圧力調整精度が向上するという効果が得られる。
【００４８】
また、構築後の前記フロア構造において、清掃などの目的で分解が必要となった場合、床面材３Ｂの固定手段であるボルト９を取り外せば、フランジ４ｆの弾性復元力によってフランジ４ｆの内周寄りの部分は架台上面より上方へ持ち上がり（このように加圧力が解除されたときフランジの少なくとも一部がその弾性復元力により上方へ持ち上がることを「ホップアップ方式」と呼ぶ。）、これによってフランジ４ｆ上に載っている床面材３Ｂが上方へ持ち上がり、床面材３Ｂは周囲のフロア表面より突出した状態となるため、床面材３Ｂの取り外しが容易であり、分解時の作業性も優れている。
【００４９】
なお、図４（ａ）において示しているフランジ４ｆの下り勾配の角度Ｒについては、フランジ４ｆの幅、長さ、板厚あるいはその他の施工条件に応じて設定することが望ましい。その他の機能、効果などについては第１，第２実施形態の場合と同様である。
【００５０】
【発明の効果】
本発明により、以下の効果を奏する。
【００５１】
（１）支持脚で水平保持された床面材の下側に配置され開口部の面積を変更することによって空気吸い込み状態の強弱調整が可能な圧力調整ダンパが、開口部の面積を変更するための開度調整手段を有する底板と、底板の外周に起立状に形成された隔壁と、隔壁の上縁に形成されその外周形状が略多角形状をなすフランジとを備え、支持脚に設けられた架台に着脱可能に係止するための係止手段をフランジに設けたことにより、ボルトなどで床面材の下面に固定する必要がなくなるため、フロア構造の構築および分解作業の大幅な省力化が可能となり、分解・組立作業時に金属粉などの塵埃なども生じない。また、フロア構築後の圧力調整ダンパはボルトなどで床面材に拘束されることなく支持脚で水平保持されるため、フロア構築後の圧力調整ダンパの反りや変形も発生しない。
【００５２】
（２）前記係止手段として、支持脚の架台上面に設けられた係合用突起が挿通可能な係止孔をフランジの角部に設ければ、係合用突起を係止孔に挿通させた状態でフランジ角部を架台上面に載置するだけで圧力調整ダンパを支持脚に係止することが可能となり、圧力調整ダンパを持ち上げるだけで支持脚から離脱させることが可能となるため、フロア構造の構築、分解作業は極めて容易となる。また、係合用突起を係止孔に挿通させることで水平方向に拘束されるため、架台から外れたり、ずれたりし難くなり、作業性が良好となり、作業時間短縮を図ることができる。
【００５３】
（３）前記係止手段として、フランジにスリットを設けてフランジの角部を斜面状に垂下させることにより支持脚の架台上面に弾性的に当接可能な係止用舌片を形成すれば、圧力調整ダンパ上に床面材を載置し、ねじなどの固定手段で床面材を支持脚の架台に固定したとき、床面材底面に対するフランジの密着性が向上するため、床面材から吸い込まれた空気は必ず圧力調整ダンパを通過することとなり、開度調整手段による圧力調整精度が向上する。また、固定手段を解除すれば係止用舌片の弾性復元力により、フランジが床面材を持ち上げるため分解時の作業性も向上する。
【００５４】
（４）前記係止手段として、フランジの角部に支持脚の架台上面が露出可能な切欠部を設け、フランジから切欠部に突出し架台上面に当接可能な係止用突出部を設ければ、フランジの角部の切欠部から露出した架台上面に直接床面材を載置することが可能となるため、圧力調整ダンパの有無によって床面材の高さが左右されることがなくなり、フロア表面全体の平面度を向上させることができる。
【００５５】
（５）前記（４）に記載のフランジをその外周方向に向かう下り勾配をなすように弾性変形可能な状態に傾斜させた形状とすれば、圧力調整ダンパのフランジ上に床面材を載置し、ねじなどの固定手段を用いて支持脚に固定したとき、フランジの内周寄りの部分がその弾性により上方へ付勢されることでフランジと床面材との密着性が向上するため、床面材から吸い込まれた空気は必ず圧力調整ダンパを通過することとなり、開度調整手段による圧力調整精度が向上する。また、固定手段を解除すれば弾性復元力によりフランジの内周寄りの部分が床面材を持ち上げるため、分解時の作業性も向上する。
【００５６】
（６）基礎面に立設された支持脚と、支持脚で水平保持された床面材と、床面材の下側に配置される圧力調整ダンパとを備えたフロア構造に前記（１）〜（５）のいずれかに記載の圧力調整ダンパを採用することにより、フロア構造の構築および分解作業を大幅に省力化することが可能となり、構築後の圧力調整ダンパの反りや変形が発生しなくなり、分解・組立作業時に金属粉などの塵埃なども生じなくなる。
【図面の簡単な説明】
【図１】本発明の第１実施形態である圧力調整ダンパを用いたフロア構造を示す分解斜視図である。
【図２】本発明の第２実施形態である圧力調整ダンパを用いたフロア構造を示す分解斜視図である。
【図３】本発明の第３実施形態である圧力調整ダンパを用いたフロア構造を示す分解斜視図である。
【図４】図３に示すフロア構造を構築する際の圧力調整ダンパのフランジの沈下状態を模式的に示す垂直断面図である。
【図５】従来のフロア構造の一例を示す分解斜視図である。
【符号の説明】
１　基礎面
２Ａ，２Ｂ，２Ｃ　支持脚
２ａ　台座
２ｂ　支柱
２ｃ　架台
２ｄ　係合用突起
３Ａ，３Ｂ　床面材
３ａ　貫通孔
３ｂ　係合孔
３ｃ，７ａ　ボルト孔
４Ａ，４Ｂ，４Ｃ　圧力調整ダンパ
４ａ，４ｂ　開口部
４ｃ　スライド板
４ｄ　底板
４ｄ１　固定板
４ｄ２　スライド板
４ｅ　隔壁
４ｆ　フランジ
４ｇ　係止孔
５　フィルタ
６　矢線
７　係合用舌片
８　雌ねじ孔
９　ボルト
１０　切欠部
１１　係止用突出部
Ｓ　スリット
【図１】
2004138340.tif 000003
【図２】
2004138340.tif 000004
【図３】
2004138340.tif 000005
【図４】
2004138340.tif 000006
【図５】
2004138340.tif 000007